(57)【要約】【課題】  複数段の棚を持つ加熱調理器において、調理する時に間違えなく、指定の棚へ角皿を設置することができる加熱調理器を得る。【解決手段】被加熱物を加熱する加熱室１２と、加熱室１２の左右側面に配置された複数段の棚１４と、棚１４に設けた位置決め部１５と、被加熱物を載せる角皿１８とよりなり、角皿１８の縁部には棚１４の位置決め部１５と嵌合する皿位置決め部１７と、メニュー２０と、メニュー２０を調理する時に角皿１８を加熱室１２にある複数段ある棚１４のどの棚１４に設置して調理するかを表示した棚段表示１９を設け、角皿１８を棚１４に設置し、棚１４の位置決め部１５と角皿１８の皿位置決め部１７が嵌合した状態で、棚段表示１９とメニュー２０が加熱室１２の開口部１３側に位置し、角皿１８を棚１４に設置した状態で表示してある棚段表示１９とメニュー２０の内容を確認できるようにした。【選択図】  図１
2006214655.tif 000002
【特許請求の範囲】
【請求項１】
被加熱物を加熱する加熱室（１２）と、加熱室（１２）の左右側面に配置された複数段の棚（１４）と、棚（１４）に設けた位置決め部（１５）と、被加熱物を載せる角皿（１８）とよりなり、角皿（１８）の縁部には棚（１４）の位置決め部（１５）と嵌合する皿位置決め部（１７）と、メニュー（２０）と、メニュー（２０）を調理する時に角皿（１８）を加熱室（１２）にある複数段ある棚（１４）のどの棚（１４）に設置して調理するかを表示した棚段表示（１９）を設け、角皿（１８）を棚（１４）に設置し、棚（１４）の位置決め部（１５）と角皿（１８）の皿位置決め部（１７）が嵌合した状態で、棚段表示（１９）とメニュー（２０）が加熱室（１２）の開口部（１３）側に位置し、角皿（１８）を棚（１４）に設置した状態で表示してある棚段表示（１９）とメニュー（２０）の内容を確認できることを特徴とした加熱調理器。
【請求項２】
複数段ある棚（１４）の各棚（１４）に、それぞれ異なった位置や、異なった形状となるように位置決め部（１５）を設け、一枚の角皿（１８）の各辺毎に、前記各棚（１４）の位置決め部（１５）に嵌合する皿位置決め部（１７）を設け、角皿（１８）の方向を変えることで各棚（１４）に設置することができることを特徴とする請求項１記載の加熱調理器。
【発明の詳細な説明】
【技術分野】
【０００１】
本発明は電気オーブンやオーブン機能付の電子レンジにおいて、被加熱物を載せる角皿の取り扱いを分かり易くした加熱調理器に関するものである。
【背景技術】
【０００２】
従来の加熱調理器として、特許文献１に示すものがある。図８は、その従来例を説明するための高周波加熱装置の外観斜視図（ドアを開けた状態）、図９は図８のＡ部を拡大した図を示す。
【０００３】
これらの図において、１０１は本体である。１０２は被加熱物である食品を載せるための角皿である。１０３は角皿１０２を収納して被加熱物を加熱する加熱室である。１０４は加熱室１０３に角皿１０２を出し入れするための開口部である。１０５は前板で、金属の平板からなり、開口部１０４の周囲に設けられており、本体１０１の前面を構成する部品の一つである。１０６は加熱室１０３の開口部１０４を塞ぐために開閉自在なドアで、閉めた時は前板１０５と密着する。１０７は角皿１０２を載せるための棚で、加熱室１０３の左右側面に設けられた下段用設置棚１０７ａと上段用設置棚１０７ｂの二段で構成されている。１０８は角皿１０２を使用して調理するメニュー一覧で、１０８ａが下段に角皿１０２を設置して調理する下段用メニュー、１０８ｂが上段に角皿１０２を置いて調理する上段用メニューである。１０９は各メニュー毎に使用する棚段を示す矢印で１０９ａが下段指示の矢印、１０９ｂが上段指示の矢印を示している。
【０００４】
このように、加熱室１０３の前板１０５に使用する下段用設置棚１０７ａと上段用設置棚１０７ｂの二段の棚１０７毎にメニュー１０８を分けて記載することにより、使用者が、その都度、取り扱い説明書や調理方法を記載した説明書を確認しなくても、調理するメニュー８を前板５で確認することで使用する棚が分かるようになっている。
【０００５】
【特許文献１】特開平９−５３８３０号公報
【発明の開示】
【発明が解決しようとする課題】
【０００６】
上記従来の技術では、前板１０５に記載している下段用メニュー１０８ａと上段用メニュー１０８ｂを見て下段用設置棚１０７ａと上段用設置棚１０７ｂのどちらを使用するかを確認しても、メニュー一覧１０８の読み間違いや構造的にどの棚１０７にも角皿１０２が設置できるため、間違えた棚１０７に角皿１０２を設置して調理がうまくできないことがあった。
【課題を解決するための手段】
【０００７】
本発明は上記課題を解決するためになされたものであり、被加熱物を加熱する加熱室と、加熱室の左右側面に配置された複数段の棚と、棚に設けた位置決め部と、被加熱物を載せる角皿とよりなり、角皿の縁部には棚の位置決め部と嵌合する皿位置決め部と、メニューと、メニューを調理する時に角皿を加熱室にある複数段ある棚のどの棚に設置して調理するかを表示した棚段表示を設け、角皿を棚に設置し、棚の位置決め部と角皿の皿位置決め部が嵌合した状態で、棚段表示とメニューが加熱室の開口部側に位置し、角皿を棚に設置した状態で表示してある棚段表示とメニューの内容を確認できるようにしたものである。
【０００８】
また、複数段ある棚の各棚に、それぞれ異なった位置や、異なった形状となるように位置決め部を設け、一枚の角皿の各辺毎に、前記各棚の位置決め部に嵌合する皿位置決め部を設け、角皿の方向を変えることで各棚に設置することができるものである。
【発明の効果】
【０００９】
本発明によれば、角皿にメニューと、そのメニューを調理する時に設置する棚の棚段表示をし、表示した棚段と設置する棚が一致しないと角皿が設置できない構造にしたので間違った棚で調理して失敗することをなくすことができる。
【発明を実施するための最良の形態】
【００１０】
以下、本発明の一実施例を図１から図７を用いて説明する。
【００１１】
図において、１１は加熱調理器の本体である。１２は加熱室で、被加熱物、すなわち食品を入れて温めたり焼いたりする場所である。１３は開口部で、被加熱物を加熱室１２に入れるために開いている部分で、被加熱物を出し入れするとき以外は、後述するドア１６によってこの開口部１３は塞がれている。１６はドアで、加熱室１２の開口部１３を塞ぐためのものである。
【００１２】
１４は棚で、加熱室１２の左右側面に設けられたもので、この棚１４は後述する角皿１８を載せるのに必要なものであり、調理するメニューによって、その棚１４を使い分けている。今回の実施例では、棚１４が三段ある例で、１４ａは下段用設置棚、１４ｂは中段用設置棚、１４ｃは上段用設置棚である。
【００１３】
１５は位置決め部で、凸部よりなる例を示し、棚１４の下段、中段そして上段の、それぞれ異なった位置に設けたり、異なった形状となるように設けられ、各棚１４が判別できるようになっている。そして、後述する角皿１８を棚１４に設置した時に、棚１４の位置決め部１５と角皿１８の縁部に設けた後述する皿位置決め部１７が嵌合することで、角皿１８の設置する棚１４を識別できるようにしている。
【００１４】
ここで、１５ａは下段凸部で、下段用設置棚１４ａの右側の開口部１３側に設けられている。１５ｂは中段凸部で、中段用設置棚１４ｂの左側のほぼ中央に設けられている。１５ｃは上段凸部で、上段用設置棚１４ｃの左側の開口部１３側に設けている。
【００１５】
１８は角皿で、被加熱物を載せて加熱室１２の棚１４に設置するものである。角皿１８の縁部には、角皿１８を棚１４に設置したときに、棚１４に設けられている位置決め部１５と嵌合する後述する皿位置決め部１７を設けている。また、角皿１８の縁部には、メニュー２０とそのメニュー２０を調理する時にどの棚１４に設置するかを示す棚段表示１９が表示してある。この表示は文字や絵などで使用者が認知できるもので表現してよい。２１はメニュー２０のメニュー名で、絵表示した例を示しており、２０ａはフライの温め、２０ｂグラタンの調理を表している。
【００１６】
１７は角皿１８の縁部に設けた皿位置決め部で、棚１４に設けた位置決め部１５と嵌合できる切り込み部を設けた例で、一枚の角皿１８で下段、中段そして上段の各棚１４に対応できるように、下段凸部１５ａ、中段凸１５ｂ及び上段凸１５ｃと対向する切り込み部１７ａ、切り込み部１７ｂ及び切り込み部１７ｃとで構成されている。そして、切り込み部１７ａは角皿１８を下段用設置棚１４ａに設置した時に下段凸部１５ａと嵌合し、角皿１８の縁部に表示した下段に設置を示すための棚段表示１９ａとメニュー２０ａの表示が開口部１３側に位置するようになっている。
【００１７】
また、角皿１８の切り込み部１７ｂは、角皿１８を中段用設置棚１４ｂに設置した時に中段凸部１５ｂと嵌合し、角皿１８の縁部に表示した中段に設置を示すための棚段表示１９ｂとメニュー２０ｂの表示が開口部１３側に位置するようになっている。
【００１８】
さらに、角皿１８の切り込み部１７ｃは、角皿１８を上段用設置棚１４ｃに設置した時に上段凸部１５ｃと嵌合し、角皿１８の縁部に表示した上段に設置を示すための棚段表示１９ｃとメニュー２０ｃの表示が開口部１３側に位置するようになっている。
【００１９】
以上の説明で分かるように、棚１４に設けた位置決め部１５や、角皿１８に設けた皿位置決め部１７は、角皿１８を棚１４に正しく設置した時は嵌合し、違う棚に設置したときは、使用者に設置できないことを分かるようにすればいいので、前述した棚１４の下段凸部１５ａ、中段凸部１５ｂ、上段凸部１５ｃや、角皿１８の切り込み部１７ａ、切り込み部１７ｂ、切り込み部１７ｃ以外の形状でもかまわない。例えば、実施例で示す構造と反対に棚１４側が凹部で角皿１８側が凸部でもかまわない。
【００２０】
また、角皿１８に記載する文字や絵は、使用者に判断できる方法なら表示方法については特に限定していない。例えば、熱に耐える塗料で印刷したり、プレスで刻印していてもかまわない。
【００２１】
次に本一実施例の作用について説明する。
【００２２】
使用者は被加熱物である食品を角皿１８に載せ、調理するメニューと角皿１８に表示されたメニュー２０を確認する。角皿１８にはメニュー２０に対応した角皿１８を設置する棚１４の棚段表示１９を表示してあるので、使用者はその表示に従って下段、中段、上段いずれかの棚１４に角皿１８を設置する。その際、間違った棚１４に設置しようとすると角皿１８の皿位置決め部１７と各棚１４にある位置決め部１５とが嵌合しないため、角皿１８が設置することが出来ないようになっている。
【００２３】
また、角皿１８を棚１４に設置した後からでも、角皿１８を取り出さないで、角皿１８の縁部に表示されている棚段表示１９とメニュー２０を簡単に確認できるので、もし、実際に調理するメニューと記載されたメニュー２０を間違えても、表示部分が開口部１３側に位置するので、大変気づき易く、間違えて調理を開始することが大変少なくなる。
【００２４】
次に、具体的な説明をする為に、グラタン料理をする時の角皿１８の設置について詳細に説明をする。
【００２５】
グラタン調理を開始するために、被加熱物であるグラタン（図示せず）を角皿１８に載せ、次に加熱室１２の下段、中段、上段のどの棚１４に入れるのかを確認する。その確認は角皿１４の縁部に表示してあるメニュー２０を見て、調理を行うグラタンを探し出し、メニュー２０と併記されている棚段表示１９を確認することで、どの棚１４に入れるかを確認することができる。グラタンはメニュー２０ａのグラタン２１ｂで確認でき、棚１４は棚段表示１９ａで下段に設置することが確認できる。
【００２６】
下段に設置する時は、調理するメニュー名のグラタン２１ｂが開口部１３側に来るように角皿１８を下段用設置棚１４ａに設置する。設置すると、下段用設置棚１４ａの右側にある下段凸部１５ａと角皿１８の切り込み部１７ａが嵌合して角皿１８が正しく設置されることを確認できる。
【００２７】
間違った棚１４に設置した場合、例えば調理するメニュー名のグラタン２１ｂを開口部１３側に来るように角皿１８の向きを正しくし、設置する棚１４を間違えて、中段用設置棚１４ｂに角皿１８を設置した場合、中段用設置棚１４ｂの中段凸部１５ｂは左側にあり、角皿１８の皿位置決め部１７の切り込み部１７ｂは右側にあり、左側には切り込み部が無いので、中段凸部１５ｂの上に角皿１８の縁部が乗り上げるので使用者に間違えを知らせることができる。
【００２８】
上段用設置棚１４ｃに間違えて設置した場合も同様に、上段凸部１５ｃが左側のために、中段用設置棚１４ｂに間違って設置した時と同様に使用者は間違えを知ることができる。
【００２９】
また、別の例として、角皿１８を中段用設置棚１４ｂに設置するところを間違えて、上段用設置棚１４ｃに設置すると、棚１４の位置決め部１５は、中段凸部１５ｂと上段凸部１５ｃの両方とも左側の棚１４に位置しているが、角皿１８の皿位置決め部１７は角皿１８の向きが正しくメニュー２０ｂの表示が開口部１３側に位置するように設置すると、切り込み部１７ｂは左側の棚１４側の中央部に位置する。そのため、正しい位置である中段用設置棚１４ｂに設置した場合は、中段用設置棚１４ｂの中段凸部１５ｂは棚１４の中央に位置するため角皿１８の切り込み部１７ｂと嵌合することができるが、上記のように間違えて上段用設置棚１４ｃに設置した場合は、上段用設置棚１４ｃの上段凸部１５ｃは棚１４の開口部１３側に位置するために、上段凸部１５ｃと角皿１８の切り込み部１７ｂは嵌合することがでず、角皿１８の縁部が乗り上げてしまう。
【００３０】
次に調理メニューを間違えた例として、ピザを調理するのにグラタンのメニューと間違えて角皿１８を下段用設置棚１４ａに設置した場合には、開口部１３側に棚段表示１９ａと下段で調理できるメニュー２０ａが位置するので、使用者が角皿１８を下段用設置棚１４ａに設置した状態で設置した棚１４と棚段表示１９ａとメニュー２０ａが確認でき、メニュー２０ａ内に実際に行うメニューのピザが表示されていないので角皿１８を設置した棚１４ではピザが調理できないことを簡単に知ることができる。
【００３１】
以上の説明のように、本発明によれば、角皿１８に棚段表示１９とメニュー２０を表示し、表示した棚段表示１９と設置する棚１４が一致しない時は角皿１８が設置できない構造にしたことで間違った棚１４で調理して失敗することを無くすことができる。
【図面の簡単な説明】
【００３２】
【図１】本発明の実施例を示す加熱調理器の斜視図である。
【図２】同実施例を示す加熱調理器のドアを省いた正面図である。
【図３】図２のＢ部分の断面図で、下段用設置棚を上部から見た図である。
【図４】図２のＣ部分の断面図で、中段用設置棚を上部から見た図である。
【図５】図２のＤ部分の断面図で、上段用設置棚を上部から見た図である。
【図６】同実施例を示す加熱調理器の角皿の上面図である。
【図７】同実施例を示す角皿に記載した文字と絵の説明図である。
【図８】従来例を示す加熱調理器のドアを開けた状態の正面図である。
【図９】図８のＡ部分の拡大図である。
【図１】
2006214655.tif 000003
【図２】
2006214655.tif 000004
【図３】
2006214655.tif 000005
【図４】
2006214655.tif 000006
【図５】
2006214655.tif 000007
【図６】
2006214655.tif 000008
【図７】
2006214655.tif 000009
【図８】
2006214655.tif 000010
【図９】
2006214655.tif 000011